(57)【要約】【課題】缶容器から一度に多量の液状物を注出することができ、しかも、注出に際して液状物をこぼして付近を汚すおそれがなく、以て作業効率を向上させることができるだけでなく、従来のプラスチック製環状保護キャップ装着工程が不要となるために、製品全体のコストを抑えることができる缶容器からの液状物注出補助具を提供することを課題とする。【解決手段】先細筒状で狭径側開口を注出口とする筒状体１と、前記筒状体１の広径側開口縁部に延設され、缶容器上面の栓蓋用口金３２に回動可能に嵌め付けられる嵌め付け部３と、前記嵌め付け部３に対向する側の前記筒状体１の広径側開口縁部に延設され、前記栓蓋用口金３２に嵌着される栓蓋に被着される栓蓋キャップ４とから成り、前記筒状体１は折曲線６ａ〜６ｄを有していて平坦に折畳み可能である。【選択図】図２
2006123939.tif 000002
【特許請求の範囲】
【請求項１】
先細筒状で狭径側開口を注出口とする筒状体と、前記筒状体の広径側開口縁部に延設され、缶容器上面の栓蓋用口金に回動可能に嵌め付けられる嵌め付け部と、前記嵌め付け部に対向する側の前記筒状体の広径側開口縁部に延設され、前記栓蓋用口金に嵌着される栓蓋に被着される栓蓋キャップとから成り、前記筒状体は複数の折曲線を有していて平坦に折畳み可能であることを特徴とする缶容器からの液状物注出補助具。
【請求項２】
前記筒状体は、平坦に折畳んだ状態で両側に立上り壁を形成して使用することが可能である請求項１に記載の缶容器からの液状物注出補助具。
【請求項３】
前記筒状体は、前記折曲線の部分から拡げて筒状にして使用可能である請求項１に記載の缶容器からの液状物注出補助具。
【請求項４】
前記栓蓋キャップに摘みを突設した請求項１乃至３のいずれかに記載の缶容器からの液状物注出補助具。
【請求項５】
前記栓蓋キャップは取り除き可能である請求項１乃至４のいずれかに記載の液状物注出補助具。
【発明の詳細な説明】
【技術分野】
【０００１】
本発明は、缶容器からの液状物注出補助具、より詳細には、オイル缶、塗料缶等の液状物を収納する缶容器から該液状物を注出する際に、注出口に取り付けて用いる缶容器からの液状物注出補助具に関するものである。
【背景技術】
【０００２】
オイル缶や塗料缶等の缶容器３１の製品には、その上面に突出状態に形成される栓蓋用口金３２に栓蓋３３が嵌め付けられ、更に栓蓋３３を保護するために、プラスチック製の環状保護キャップ３４が装着される（図８）。そして、使用に際しては環状保護キャップ３４を外し、栓蓋３３を押し抜く。
【０００３】
また、栓蓋用口金３２に、両側に立上り壁５２を有する先細のプラスチック製注出補助具５１が、環状嵌め付け部５３を介して回動可能に嵌め付けられることが多い（図９）。この注出補助具５１は、収容液状物の注出に際し、栓蓋用口金３２を軸に回動させてその先端を機器の注入口等に向け、缶底を持ち上げて収容液状物を注出する。その際液状物は、両側の立上り壁５２、５２によって中央に寄せられて機器の注入口等に流入する。
【０００４】
この注出補助具５１を用いることにより、液状物が栓蓋用口金３２周囲や機器の注入口付近にこぼれ落ちて、周辺部を汚すことが極力回避されることになる。
【０００５】
しかるに、上記従来の注出補助具５１の場合、予め栓蓋用口金３２に嵌め付けられ、缶容器３１の上面全体にプラスチックカバーが被せられる関係上、立上り壁５２は低く抑えられている。そのため、こぼさないようにするためには液状物の注出は少量宛ということになり、一度に多量の注出を行うことができず、過って多量注出した場合は、こぼれて口金３２の周りや注出先周辺部を汚すおそれがある。
【０００６】
このように、従来の缶容器からの液状物注出補助具を用いる場合は、一度に多量の液状物を注出することができず、こぼさないよう注意しながら少量宛注出せざるを得ないために作業効率が悪いという問題があったため、本発明者は、缶容器から一度に多量の液状物を注出することができ、しかも、注出に際して液状物をこぼして付近を汚すおそれがなく、以て作業効率を向上させることができる缶容器からの液状物注出補助具を提唱した（特開２００４−９１００９号公報）。
【０００７】
それは、先細筒状で狭径側開口を注出口とする筒状体４１と、筒状体４１の広径側開口縁部に連設され、缶容器３１上面の栓蓋用口金３２に回動可能に嵌め付けられる嵌め付け部４２とから成り、筒状体４１は折曲線４３を有していて平坦に折畳み可能であることを特徴とするものである（図１０）。
【特許文献１】特開２００４−９１００９号公報
【発明の開示】
【発明が解決しようとする課題】
【０００８】
しかるに、この液状物注出補助具による場合は、従来の栓蓋とそれを保護する環状保護キャップをそのまま用いることになり、製品化に当っては、栓蓋をした後に、環状保護キャップ装着工程と該注出補助具の取付工程とが必要となり、工程数が多くなってその分コスト高になるおそれがある。
【０００９】
そこで本発明は、缶容器から一度に多量の液状物を注出することができ、しかも、注出に際して液状物をこぼして付近を汚すおそれがなく、以て作業効率を向上させることができるだけでなく、従来のプラスチック製環状保護キャップ装着工程が不要となるために、製品全体のコストを抑えることができる缶容器からの液状物注出補助具を提供することを課題とする。
【課題を解決するための手段】
【００１０】
上記課題を解決するために請求項１に係る発明は、先細筒状で狭径側開口を注出口とする筒状体と、前記筒状体の広径側開口縁部に延設され、缶容器上面の栓蓋用口金に回動可能に嵌め付けられる嵌め付け部と、前記嵌め付け部に対向する側の前記筒状体の広径側開口縁部に延設され、前記栓蓋用口金に嵌着される栓蓋に被着される栓蓋キャップとから成り、前記筒状体は折曲線を有していて平坦に折畳み可能であることを特徴とする缶容器からの液状物注出補助具を提唱する。
【００１１】
前記筒状体は、平坦に折畳んだ状態で両側に立上り壁を形成して使用することが可能であり、また、前記筒状体は、前記折曲線の部分から拡げて筒状にして使用可能である。前記栓蓋キャップには摘みが突設されることがあり、また、前記栓蓋キャップは取り除き可能にされることもある。
【発明の効果】
【００１２】
本発明は、先細筒状で狭径側開口を注出口とする筒状体と、前記筒状体の広径側開口縁部に延設され、缶容器上面の栓蓋用口金に回動可能に嵌め付けられる嵌め付け部と、前記嵌め付け部に対向する側の前記筒状体の広径側開口縁部に延設され、前記栓蓋用口金に嵌着される栓蓋に被着される栓蓋キャップとから成り、前記筒状体は折曲線を有していて平坦に折畳み可能であって、使用時にそれを用いて漏斗状にするので、缶容器から一度に多量の液状物を注出することができ、しかも、注出に際して液状物をこぼして付近を汚すおそれがなく、以て作業効率を向上させることができるだけでなく、従来のプラスチック製環状保護キャップが不要となるために、製造工程を増加させることがなく、製品全体のコストの上昇を抑えることができる効果がある。
【発明を実施するための最良の形態】
【００１３】
本発明の実施の形態を添付図面に依拠して説明する。本発明に係る注出補助具は、先細筒状で狭径側開口を注出口２とする筒状体１に、嵌め付け部３と栓蓋キャップ４を設けたものである。
【００１４】
嵌め付け部３は、前記筒状体１の広径側開口縁部に連設され、缶容器３１の上面の栓蓋用口金３２を挿通させる円孔５を有していて、その円孔５に栓蓋用口金３２を挿通させることにより、そこに回動可能に支持される（図２参照）。
【００１５】
筒状体１は、側面に縦方向に延びる折曲線を有していて、そこから平坦に折畳み可能に構成される。図１に示す注出補助具は、折曲線を６本設けたもので、対向する折曲線６ａ、６ｂから折曲することにより平坦に折り畳むことが可能で、折曲線６ａ、６ｃの間の面、及び、折曲線６ｂ、６ｄの間の面を立上げて立上り壁とすることができる（図１参照）。また、谷折り状態の折曲線６ｃ、６ｄの部分を山折り状態にし、折曲線６ａ、６ｂの部分を開くことにより、拡げて漏斗状とすることもできる（図２参照）。
【００１６】
折曲線の数は６本に限らず、例えば５本であってもよい。この折曲線の数により、筒状体１の形状が変わってくる。
【００１７】
栓蓋キャップ４は、嵌め付け部３形成側に対向する側の筒状体１の広径側開口縁部に延設された栓蓋キャップ担持部７に設けられる。栓蓋キャップ４は、栓蓋キャップ担持部７に内側から、栓蓋用口金３２に嵌着される栓蓋３３に対応する形状に凹ませて形成され、栓蓋３３に密に被装可能にされる。
【００１８】
好ましくは、栓蓋キャップ４に摘み８が突設される。この摘み８は、栓蓋キャップ４を栓蓋３３から外す際に利用するものであるが、同時に筒状体１を漏斗状に拡げる際にも利用することができる。また、栓蓋キャップ担持部７にも、使用に際して筒状体１を漏斗状に拡げる際に利用する摘み９を設けることがある。なお、ミシン目を付す等により、使用に際し、摘み８を引張って栓蓋キャップ４を栓蓋キャップ担持部７から取り除けるようにすることもある（図３）。
【００１９】
上記のようにして筒状体１を漏斗状にした後、注出口２を機器の注入口等に当てがい、缶容器３１を傾けて液状物を注出する。その際、液状物を勢いよく注出しても、特に折曲線６ｃ、６ｄ間の筒状体内側面に当たるため、外に溢れ出ることはない。そのため、格別の注意を払わなくても、液状物を迅速に注出することが可能となる。
【００２０】
図５に示す使用方法は、筒状体１を漏斗状に拡げることなく、畳んだままで使用するものである。この場合は、折曲線６ａ、６ｂから折り畳み、且つ、折曲線６ｃ、６ｄを谷折りすることにより、折曲線６ａ、６ｃ間、及び、折曲線６ｂ、６ｄ間を立上り壁とする。この状態は、従来の注出補助具５１と同様の構成のもので、この状態で従来の場合と同様にして用いることができる。
【００２１】
図６に示す実施形態は、上記実施形態よりも筒状体１の高さを高くし、よりこぼれにくくしたもので、使用方法等は上記実施形態と同じである。
【００２２】
図７に示す実施形態は、栓蓋キャップ担持部７を省略し、栓蓋キャップ４も約２分の１としたものである。この場合は摘み９の代わりとして、栓蓋キャップ４に舌片１０が突設される。
【００２３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２４】
【図１】本発明の第１の実施形態の斜視図である。
【図２】本発明の第１の実施形態の使用方法を示す図である。
【図３】本発明の第１の実施形態の他の使用状態を示す図である。
【図４】本発明の第１の実施形態の他の使用状態を示す図である。
【図５】本発明の第１の実施形態の更に他の使用方法を示す図である。
【図６】本発明の第２の実施形態の使用状態を示す図である。
【図７】本発明の第３の実施形態の使用状態を示す図である。
【図８】従来の一般的な缶容器製品の構成を示す図である。
【図９】従来の液状物注出補助具の使用状態を示す図である。
【図１０】従来の改良された液状物注出補助具の使用状態を示す図である。
【符号の説明】
【００２５】
１    筒状体
２    注出口
３    嵌め付け部
４    栓蓋キャップ
５    円孔
６ａ  折曲線
６ｂ  折曲線
６ｃ  折曲線
６ｄ  折曲線
７    栓蓋キャップ担持部
８    摘み
９    摘み
１０    舌片
３１    缶容器
３２    栓蓋用口金
３３    栓蓋
【図１】
2006123939.tif 000003
【図２】
2006123939.tif 000004
【図３】
2006123939.tif 000005
【図４】
2006123939.tif 000006
【図５】
2006123939.tif 000007
【図６】
2006123939.tif 000008
【図７】
2006123939.tif 000009
【図８】
2006123939.tif 000010
【図９】
2006123939.tif 000011
【図１０】
2006123939.tif 000012